(57)【特許請求の範囲】
【請求項１】
フレーム毎に表示される画面から被写体画像を抽出するに当たり前記画面における直線を検出し、該複数の直線で囲まれた領域を前記被写体画像とする画像抽出ステップと、前記被写体画像の輝度レベルを用いてストリークを検出するストリーク検出ステップと、前記ストリークを検出した当該被写体画像の前後の一方或いは双方のフレームにおける画像から、前記ストリークと同位置の領域を合成する領域処理ステップと、前記被写体画像のストリークを前記領域で置き換えて当該フレームの画面を表示する表示ステップとを有する表示画面中のストリーク軽減方法。
【請求項２】
前記画像抽出ステップにおいて、前記画面における直線を検出し、該複数の直線で囲まれた領域を抽出できないとき、前記ストリーク検出ステップでは、前記画面を前記被写体画像として輝度レベルの時間的及び／又は空間的変化からストリークを検出する請求項１に記載の表示画面中のストリーク軽減方法。
【請求項３】
前記ストリーク検出ステップでは、前記ストリークについて縦方向の幅と移動方向を検出することを含む請求項１および２に記載の表示画面中のストリーク軽減方法。
【請求項４】
前記被写体画像中に動画像が含まれているとき、前記領域処理ステップでは、前記ストリークを検出した当該被写体画像に係る当該フレームの前及び後のフレームにおける各画像から、前記ストリークと同位置の各領域を切り出し、前記動画像部分の変位の量と方向を検出し、前記表示ステップでは、切り出された前記各領域を前記変位の量と方向を用いて合成した領域で、前記被写体画像のストリークを置き換えて当該フレームの画面を表示する請求項１乃至３のいずれか一項に記載の表示画面中のストリーク軽減方法。
【請求項５】
フレーム毎の画面を繰り返し表示する表示手段と、前記画面に係るデータを逐次記憶する記憶手段と、前記画面における直線を検出し、該複数の直線で囲まれた領域を前記被写体画像として前記画面から抽出する画像抽出手段と、前記画面中の被写体画像からストリークを検出するストリーク検出手段と、前記記憶手段に記憶された前記ストリークを検出した当該被写体画像の前後の一方或いは双方のフレームにおける画像から、前記ストリークと同位置の領域を合成し、前記被写体画像のストリークを前記領域で置き換えて当該フレームの画面を前記表示手段に表示する領域処理手段とを有する画像表示装置。
【請求項６】
前記ストリーク検出手段は、前記ストリークについて縦方向の幅と移動方向を検出することを含む請求項５に記載の画像表示装置。
【請求項７】
前記被写体画像中から動画像の有無を検出する動画像検出手段を含み、前記被写体画像中に前記動画像がある場合、前記領域処理手段は、前記記憶手段から、前記ストリークを検出した当該被写体画像に係る当該フレームの前及び後のフレームにおける各画像データから、前記ストリークと同位置の各領域のデータを読み出し、前記動画像部分の変位の量と方向を検出し、前記各領域のデータに対して前記変位の量と方向を考慮することにより合成して得られた領域で、前記被写体画像のストリークを置き換えて当該フレームの画面を表示する請求項５または６に記載の画像表示装置。
【発明の詳細な説明】
【０００１】
【発明の属する技術分野】
本発明は、テレビカメラ等による撮影画像の走査速度と異なる走査速度による画像の表示画面を被写体として撮影したときに、その撮影画像をテレビ受像機等の画面に映し出したときに発生するストリークを軽減するようにした表示画面中のストリーク軽減方法及びその画像表示装置に関する。
【０００２】
【従来の技術】
一般に、我が国のテレビ放送を受信してテレビ受像機で映し出される画面においては、通常、走査（フィールド）周波数は５９．９４Ｈｚで画像フレームを順次連続して表示している。
一方、パソコン（ＰＣ）のモニター画面における表示においても、特に、ＣＲＴを用いたモニターでは、テレビ受像機と同様の画像の表示原理によって、走査（リフレッシュ）周波数、例えば、６０〜７０Ｈｚで画像フレームを表示している。
【０００３】
ところが、例えば、テレビカメラによって、テレビ放送のための取材を行っている際に、被写体としてＰＣモニターが撮影される場合がある。
この様に、ＰＣモニターが被写体としてテレビカメラで撮影された場合について、その撮影された映像がテレビ受像機に映し出された様子を、図１に示した。
ＰＣモニター１の画面には、画像Ｍが表示されている。ここで、この画面をテレビカメラ２で撮影した映像を放送したとする。そして、その映像をテレビ受像機で受信し、テレビ受像機の画面３に表示すると、画面３中には、画像Ｍを表示したＰＣモニター１の画面に対応する画像４が、その背景と共に映し出される。
【０００４】
しかしながら、画像４に対応するＰＣモニター１の画面の走査周波数が、テレビ受像機の画面３における走査周波数と異なる場合には、ＰＣモニター１の画面に対応する画像４中に、他の部分より明るい又は暗い帯（これをストリークと呼ぶ。）が発生する。そのストリークについて、図中では、斜線部で示し、その部分に符号Ｓを付した。
【０００５】
そこで、そのストリークＳが発生する様子について、図２及び図３を参照して説明する。ここで、テレビ受像機の画面３の走査周波数をｆT、ＰＣモニターの画像４の走査周波数をｆPとし、それらの１フレームの繰り返し周期をそれぞれτT、τPとする。厳密に言えば、我が国のテレビ放送では、２：１インターレース方式が用いられており、偶数と奇数の２つのフィールドを合わせて１つのフレームを構成するが、ここでは簡単のため、各フィールドともにフレームと同じ意味と考えることにする。即ち、フレーム周波数を５９．９４Ｈｚとする。そして、図２は、ｆT＜ｆPである場合を、図３は、ｆT＞ｆPである場合を示している。
【０００６】
なお、以下の説明においては、ＰＣモニター１の走査はテレビカメラ２の撮像機能における電荷の蓄積に相当し、テレビ受像機の画面３における走査はテレビカメラ２に蓄積されている電荷の放出に相当する。
図２において、横軸は、時間ｔを表している。また、その縦軸は、各画像の縦方向について、走査ラインの上方から下方への走査状況を示しており、その走査ラインの走査開始タイミングと走査終了タイミングを斜線で結んで表している。ここでは、理解を容易にするために、近似的に、各走査ラインの走査終了タイミングは、次の周期における各走査ラインの走査開始タイミングと重なったものとなっている。実際には、周波数ｆT及びｆPは互いに独立であること、及び映像信号に同期信号等が含まれることにより、完全には重ならない。
【０００７】
テレビカメラ２及びテレビ受像機の画面３についてはいずれも同じく、走査周波数ｆT、繰り返し周期τT1乃至τT4で縦方向幅Ｗ1の範囲内で走査している（周期τT1乃至τT4のそれぞれの大きさは同じである）。例えば、τT1は、時間ｔT1からｔT2に対応し、この時間の範囲で画面幅Ｗ1を斜線に沿って上から下へ１回走査し、１フレームを形成する。図中に示された複数のフレームの繰り返し周期は、画面表示中の一部の期間を示している。
【０００８】
また、ＰＣモニターの画像４に関する走査ラインについては、テレビ受像機の画面３内で、走査周波数ｆP、繰り返し周期τP1乃至τP4で縦方向幅Ｗ２の範囲内を走査している（周期τP1乃至τP4のそれぞれの大きさは同じである）。例えば、τP1は、時間ｔP1からｔP2に対応し、この時間の範囲で画面幅Ｗ2を斜線に沿って上から下へ１回走査し、１フレームを形成している。
【０００９】
なお、図２では、ぞれぞれの幅Ｗ1及びＷ2が、Ｗ2≦Ｗ1の場合を示したが、テレビカメラ２で被写体としてＰＣモニター１をアップして撮影したときには、Ｗ2＞Ｗ1となることがあるが、図上では、縦軸において、ＰＣモニターの画像４の幅Ｗ2がテレビ受像機の画面３の幅Ｗ1を超えるだけであり、時間軸は同一である。そのため、ストリークＳの発生に関する説明は、Ｗ2≦Ｗ1の場合と同様であるので、ここでは、Ｗ2≦Ｗ1の場合で説明する。
【００１０】
テレビカメラ２の走査周波数ｆTとＰＣモニター１の周波数ｆPとは、ｆT＜ｆPであるため、テレビカメラ２での繰り返し周期τT1乃至τT4と、ＰＣモニター１での繰り返し周期τP1乃至τP4とは同期せず、時間的にずれたものであり、画像４内では、テレビカメラ２の繰り返し周期に無関係で走査ラインの走査が行なわれることになる。
【００１１】
そこで、周期τT1についてみると、テレビカメラ２の走査ラインの走査開始は、時間ｔT1から始まり、時間ｔT2で１フレーム分を走査終了する。即ち、この間に、テレビカメラ２の撮像機能における電荷が放出される。また、ＰＣモニター１での走査に係る周期τP1では、その走査ラインの走査開始は、時間ｔP1から始まり、時間ｔP2で１フレーム分の走査ラインの走査を終了する。即ち、この間に、テレビカメラ２の撮像機能において電荷が順次蓄積される。
【００１２】
このとき、テレビカメラ２に撮影されているＰＣモニター１においては、ＰＣモニター１の走査ラインは、時間ｔT1から時間ｔP1までの前の周期τPの一部と、周期τP1における走査ラインの走査開始である時間ｔP1から２つの走査ラインが交叉する時間ｔT11間までの走査が行なわれて、τT1に対する１フレーム分が表示される。
【００１３】
次いで、テレビカメラ２に係る周期τT2については、以前に、ＰＣモニター１に係る周期τP1からτP2に係る走査ラインの走査が、２つの走査ラインが交叉する時間ｔT11から開始され、ｔT21で終了する。そのため、時間ｔP21から時間ｔT21までの周期τP2に係る走査ラインは、テレビカメラ２において、周期τP1における走査を更に上書きすることになる。結果として、図２に示すように、帯状の斜線領域に対応する画像領域は、画像４の斜線領域以外の明るさより明るい、つまり輝度が高くなっている。これが、明るく見えるストリークである。
【００１４】
この様に、画面３に係る走査ラインが周期τTiで繰り返し走査される各フレームＦiの画像中において、ＰＣモニターの画像４中に、図２に示すように、時間ｔP(i+1)1から時間ｔT(i+1)1までの間に、幅ｗのストリークＳが発生し、このストリークＳは、フレームＦiが順次更新される毎に、幅ｗずつだけ上から下へ移動する。
【００１５】
これから、ストリークＳの幅ｗは、｜ｆT−ｆP｜の大きさによって決まることが分かる。図２では、ｆT≒６０Ｈｚ、ｆP≒６４Ｈｚとした場合について示したが、更に周波数差のある、例えば、ｆT≒６０Ｈｚ、ｆP≒７０Ｈｚとした場合には、ストリークＳの幅ｗは、２．５倍に広がったものとなる。ただ、その移動方向は変わらない。また、ストリークＳは、図２に示すように、例えば、時間ｔT11と時間tP11のように、２つの走査ラインが交叉する始点或いは終点において発生することが分かる。
【００１６】
一方、図３には、図２の場合とは反対に、走査周波数について、ｆT＞ｆPと、繰り返し周期について、τT＜τPとした場合を示した。図３においては、この条件以外は、図２に示された条件と同様であり、同じ部分には同じ符号を付した。
図３において、ストリークＳの発生原理は図２の場合と同様であるが、図２に示された様子と異なるところは、ｆT＞ｆP、τT＜τPなる条件となっているために、その発生時期がずれていることである。
【００１７】
つまり、時間ｔT(i+1)1から時間ｔP(i+1)2までの間に、幅ｗのストリークＳが発生し、このストリークＳは、フレームＦiが順次更新される毎に、幅ｗずつだけ下から上へ移動する。
さらに、大きく異なるところは、発生するストリークＳが他の領域より明るくなるのではなく、暗くなることである。図２の場合は、ｆT＜ｆPであったために、画面３の１フレーム中で、画像４における走査ラインの走査が二重になる時間が発生することがあった。しかし図３の場合では、ｆT＞ｆPであるため、反対に、画面３の１フレーム中で、画像４における走査ラインの走査が間に合わない時間が発生し、その部分では暗くなる。
【００１８】
以上のように、ある走査周波数で画像を表示している被写体の画面を、異なる走査周波数で撮影した画像を画面３に表示すると、映し出された画像４中に白い帯又は暗い帯によるストリークＳが発生し、その画像４中で下方に又は上方移動する現象が生じることが分かる。
そして、テレビカメラ２でＰＣモニター１を被写体として撮影した場合を説明したが、例に用いたテレビカメラ２とＰＣモニター１との組み合わせに限らず、互いに走査周波数が異なる表示画像を有する他の機器を用いた場合においても、一方の表示画像を被写体として撮影した場合に、ストリークが発生することが分かる。
【００１９】
また、画面３内に、複数の画像４が映し出されている場合にも、各画像内において、その画像固有の走査周波数に応じて異なった幅又は移動方向のストリークが発生する。
【００２０】
【発明が解決しようとする課題】
この様に、例えば、テレビ放送を見ているとき、テレビ画面３内に映し出されたＰＣモニター１の画像４に、その画面４内で白っぽい帯又は黒い帯（ストリーク）が移動していく。この発生するストリークは、その移動速さによっては、人の目にはフリッカとして感知され、或いは、ゆっくり移動するなど、目障りなものとなる。
【００２１】
この画面内に映し出された画像中に発生するストリークへの対策は講じられてこなかった。
そこで、本発明は、テレビカメラ等による撮影画像の走査速度と異なる走査速度による画像を表示した画面を被写体として撮影し、その撮影した画像をテレビ受像機等の画面に表示したとき、該画面中に発生するストリークを消去又は軽減することを目的とする。
【００２２】
【課題を解決するための手段】
以上の課題を解決するために、本発明では、表示画面中のストリーク軽減方法において、フレーム毎に表示される画面から被写体画像を抽出する画像抽出ステップと、前記被写体画像の輝度レベルを用いてストリークを検出するストリーク検出ステップと、前記ストリークを検出した当該被写体画像の前後の一方或いは双方のフレームにおける画像から、前記ストリークと同位置の領域を合成する領域処理ステップと、前記被写体画像のストリークを前記領域で置き換えて当該フレームの画面を表示する表示ステップとを含めた。
【００２３】
そして、前記画像抽出ステップでは、前記画面における直線を検出し、該複数の直線で囲まれた領域を前記被写体画像とし、或いは、該領域が抽出できないとき、前記画面を前記被写体画像とするようにし、前記ストリーク検出ステップには、前記ストリークについて縦方向の幅と移動方向を検出することを含めた。
さらに、前記被写体画像中に動画像が含まれているとき、前記領域処理ステップには、前記ストリークを検出した当該被写体画像に係る当該フレームの前及び後のフレームにおける各画像から、前記ストリークと同位置の各領域を切り出し、前記表示ステップには、切り出された前記各領域を合成した領域で、前記被写体画像のストリークを置き換えて当該フレームの画面を表示するようにした。
【００２４】
また、本発明では、画像表示装置において、フレーム毎の画面を繰り返し表示する表示手段と、前記画面に係るデータを逐次記憶する記憶手段と、前記画面から被写体画像を抽出する画像抽出手段と、前記画面中の被写体画像からストリークを検出するストリーク検出手段と、前記記憶手段に記憶された前記ストリークを検出した当該被写体画像の前後の一方或いは双方のフレームにおける画像から、前記ストリークと同位置の領域を切り出し、前記動画像部分の変位の量と方向を検出し、切り出された前記各領域を前記変位の量と方向を用いて合成した領域で、前記被写体画像のストリークを置き換えて当該フレームの画面を前記表示手段に表示する領域処理手段とを備えた。
【００２５】
そして、前記画像抽出手段は、前記画面における直線を検出し、複数の直線で囲まれた領域を前記被写体画像とするようにし、前記ストリーク検出手段は、前記ストリークについて縦方向の幅と移動方向を検出するようにした。
さらに、前記被写体画像中から動画像の有無を検出する動画像検出手段を含めており、前記被写体画像中に前記動画像がある場合、前記領域処理手段は、前記記憶手段から、前記ストリークを検出した当該被写体画像に係る当該フレームの前及び後のフレームにおける各画像データから、前記ストリークと同位置の各領域のデータを読み出し、前記動画像部分の変位の量と方向を検出し、該変位の量と方向を用いて前記各領域のデータを合成して得られた領域で、前記被写体画像のストリークを置き換えて当該フレームの画面を表示するようにした。
【００２６】
【発明の実施の形態】
本発明の実施形態による具体例ついて、図１に示されるように、ＰＣモニター１に画像Ｍを表示したＰＣモニター１の画面を被写体として撮影した画像４が、テレビ受像機の画面３に映し出された場合を例にして、図を参照しながら説明する。
【００２７】
本実施形態では、図１に示されるような、画面３内に映し出された画像４内に発生したストリークＳを除去又は軽減化するために、画面３に映し出された画像４内のストリークＳを検出し、画面４内でストリークＳが次のフレームで移動する位置を予測し、そして、前のフレームにおける当該位置の正常な画像領域を当て嵌めるようにした。
【００２８】
なお、本実施形態で使用されるテレビ受像機には、少なくとも画面３に映し出されるフレーム毎の画像に係るデータを記憶する記憶手段と、この記憶されたデータに基づいて、表示画面中のストリーク軽減処理を行う制御手段とが備えられているものとする。
そこで、先ず、画面３に映し出された画像４内のストリークＳの検出について、図４を参照して説明する。図４は、図１における画像４を拡大したものであるが、画像Ｍの表示を省略している。同じ部分には同じ符号を付してある。ストリークＳは、幅ｗを有し、画像４内を上から下へＤ方向に移動していることを示している。
【００２９】
ストリークＳを検出するには、画面３内において、被写体としてのＰＣモニター１の画像であることを検出する必要がある。通常、ＰＣモニター１の画面は四角形をなしていることから、直線検出手段を用いて、画面３内において、直線要素を抽出し、交叉した複数の直線を選択する。そして、これらの直線によって、囲まれた領域を、取りあえずＰＣモニター１の撮影画像とする。この段階では、囲まれた領域が全てＰＣモニター１の画像であることを必ずしも要しない。
【００３０】
ここで用いられる直線検出手段には、ハフ変換手法やエッジ検出手法が代表的であり、更には、ＰＣ画面領域を直接検出する手段として、画面間でのフリッカ発生領域検出、その時間積分結果を利用した手法等がある。
さらに、映し出された画像４は、斜め方向から撮影されたため、直角形でなく、平行四辺形であってもよく、また、画面４の一部が画面３で切れていてもよい。そして、画面３内に、複数の領域が検出されてもよく、この場合には、一つずつ順に検出処理していけばよい。図４では、説明の都合上、画面３内にＰＣモニター１の画像が正面から撮影された状態で表示されているとする。
【００３１】
そこで、直線で囲まれた領域、即ち、画像４が、図４のように特定できたとすると、ストリークＳの輝度レベルは、例えば、図４の（ａ）のようになる。図４では、ｆT＜ｆPの例を示しており、ストリークＳは、他の部分より明るいので、縦のピクセル列による輝度レベルにおいては、（ａ）の信号波形のように他のレベルより突出することになる。ストリークＳは、ｆT＞ｆPの場合には、（ａ）の信号波形とは逆に、他の部分より低く現れる。
【００３２】
この性質を利用して、例えば、（ａ）の信号波形に対する垂直方向の微分処理により、該信号波形のエッジ検出を行う。その結果、（ｂ）のパルスが作成される。このパルスの存在により、ストリークが発生していると判断し、このパルスの発生位置に基づいてストリークの幅ｗを特定でき、さらに、前のフレームから取得したパルスとの比較により、当該ストリークの移動方向Ｄと移動速度ｖを検出することができる。幅ｗは、実質的には、移動速度ｖと同じ情報を持っている。
【００３３】
そこで、（ａ）の信号波形がほぼ平らなものであり、（ｂ）のパルスを作成することができない場合には、ストリークＳは発生していない、或いは、ＰＣモニター以外のものによる被写体であるとして、ストリークＳの検出処理を終了するか、他の領域の検出処理を行う。
これまで、画面３に映し出されている画像４が、直線検出手法により、画面３中において抽出される場合を説明してきたが、被写体であるＰＣモニター１をアップで撮影したときには、画像４は、画面３の全面に映し出される。このとき、上述の直線検出手法によっては、画像４を検出できない。しかも、画面３に映し出された画像がＰＣモニター１を表していると判断できない。
【００３４】
この様な場合も想定されるので、複数の直線で囲まれた領域が抽出できないときには、画面３の全画面において、その縦方向の、１列又は複数列におけるピクセル毎の輝度レベルの時間的及び／又は空間的変化を検出するようにする。これによって、ストリークＳが存在するかどうかを判断する。
また、当該領域に係る信号波形のエッジが急峻でなく、緩やかなものであっても、信号波形の微分値が、所定の閾値を超えているものであれば、ストリークであると判断して差し支えない。この場合には、ストリークＳの幅ｗを正確に検出できないということになるが、その幅方向の大部分を検出できれば、ストリークＳのエッジ部分が残存していたとしても、人の目では感知できない程ストリークの発生を軽減できるものである。勿論、エッジ部分を広めに取ることも可能である。
【００３５】
次いで、ストリークＳについて、その幅ｗ、移動方向Ｄ及び移動速度ｖが検出されたならば、画面３に映し出されている画像４内において発生したストリークＳが表示されないように処理を行う。
図５に、その処理手順を示した。同図では、画面３における３枚の連続するフレームで映し出された画像Ｘi-1、Ｘi、Ｘi+1を示した。この場合、各画像に表示された画像Ｍは、静止画であり、画像内の定位置にあるものとする。例えば、文書や写真等である。フレーム毎に画像Ｘi-1、Ｘi、Ｘi+1のそれぞれ幅ｗのストリークＳ1、Ｓ2、Ｓ3が発生するものとする。
【００３６】
そして、画像Ｘi-1、Ｘi、Ｘi+1に関する画像データは、少なくとも、処理を行う画像より以前のフレーム分について記憶されているものとする。
ここで、フレームＦiにおける画像Ｘiでみると、ストリークＳ2が発生することになっている。しかし、フレームＦi-1の段階で、画像Ｘi-1におけるストリークＳ1に関する幅ｗが検出されるので、次のフレームＦiにおいて発生するストリークＳ2の画像Ｘｉ内の位置を予測できる。つまり、それは、ストリークＳ1の位置から直ぐ下の位置である。
【００３７】
そこで、記憶されている画像Ｘi-1のデータから、ストリークＳ２の空間位置に該当し、正常画像である領域Ｐ1のデータを切り出す。そして、切り出された領域Ｐ１のデータを画像ＸiのストリークＳ2が発生する位置のデータと置き換える。その置き換えられた画像ＸiをフレームＦiの画面に表示する。
フレームＦi+1における画像Ｘi+1に対しても、同様にして、画像ＸiのストリークＳ2が発生する位置の直ぐ下にあり、正常画像である領域Ｐ2に係るデータを、記憶されている画像Ｘiのデータから切り出し、画像Ｘi+1において、ストリークＳ3が発生する空間位置のデータと切り出した画像Ｘiの当該データと置き換えて表示する。
【００３８】
この様に、ストリークＳの幅ｗが検出されると、順次連続して繰り返されるフレーム毎に、記憶されている各フレームの直前のフレームにおける画像のデータから、当該画像に発生するストリークＳの空間位置に相当し、正常画像であるデータを切り出し、切り出された正常画像のデータを当該画像のストリークＳに係る空間位置のデータと置き換え、画面に表示する。
【００３９】
そのため、発生するストリークＳに係る空間位置のデータは、フレーム毎に、直前のフレームにおける正常画像のデータと置き換えられるので、画面３上では、画像４内に発生するストリークＳを消去し、或いは軽減することができる。
これまでは、ＰＣモニター１の画面に静止画が表示された場合について、図５を参照して説明したが、ＰＣモニター１の画面には、静止画ばかりでなく、動画が表示される場合もある。
【００４０】
しかし、その画面に動画が表示されている場合には、図６に示されるように、画像Ｍがフレーム毎に移動していくと、ストリークＳの移動とともに正常画像の切り出し位置をそのまま幅ｗだけずらしただけでは、移動する画像Ｍの一部が１フレーム時間遅れて表示されることになる。
そのため、この場合には、ストリークＳの大部分が除去又は軽減されたとしても、表示される画像Ｍの形が一部時間的にずれて表示され、これも、目障りな画像となる。この目障りな画像を改善する処理について、図６を参照して説明する。
【００４１】
画像４中に、動画である画像Ｍが表示されている場合として、図６に示したが、同図中において、図５に示したと同じ部分については、同じ符号を付した。動画として、画像Ｍは、順次連続して繰り返されるフレーム毎に、Ｍ1、Ｍ2、Ｍ3のように、速度Ｖで右方向に移動しているとする。
発生するストリークＳ1乃至Ｓ3に対する軽減処理は、図５に示した処理手順と同様である。しかし、単にこの軽減処理を適用しただけでは、動画像Ｍの移動による変化に追随できない。それは、フレーム毎に、下方に移動するストリークＳと移動する動画像Ｍとの重なり具合が変化するためである。
【００４２】
例えば、フレームＦi-1からフレームＦiに移行したとき、画像ＸiにおけるストリークＳ2の空間位置に置き換えるべく、記憶された画像Ｘi-1の正常画像の領域Ｐ1を切り出し、該領域Ｐ1のデータを画像ＸiのストリークＳ2の空間位置に置き換えるとする。そうすると、画像Ｘiで表示される動画像は、図６のようにＭ２に移動しているため、ストリークＳ2に相当する空間位置のデータは、動画像Ｍ1の一部Ｍ11を含み、動画像Ｍ2は、破線で示した動画像Ｍ1の一部Ｍ12のように置き換えられ、表示時間の遅れが空間的なズレとして画面に表示されてしまう。
【００４３】
動画像Ｍ2の一部Ｍ21についても、同様であり、画像Ｘi+1に正常画像で置き換えても、動画像Ｍ3は、破線で示すような動画像Ｍ2の一部Ｍ22がずれた形で動画像表示される。
そこで、本実施形態による他の具体例では、前のフレームにおける動画像の一部が残存しないように改善を図った。改善手法の一例として、動画像の動き内挿を採用したストリーク発生の軽減処理について、図７に示した。
【００４４】
先ず、画像４から動画像Ｍの動きの方向と速さを示す動ベクトルＶを検出する。動ベクトルＶの検出には、例えば、８×８、１６×１６等のブロックサイズによるブロックマッチング手法を用いることもできる。ただ、この検出する対象位置は、発生するストリークＳの領域外で行う必要がある。また、動画像Ｍは一つの塊として移動する動画像Ｍに対して処理するものであり、異なる動きをする複数の動画像が存在する場合には、それらの動画像について個別に処理することになる。
【００４５】
そこで、特定の動画像Ｍに関する動ベクトルＶが検出できたならば、フレームＦi-1における画像Ｘi-1のストリークＳ2に対応する領域Ｐ1をＶ／２だけシフトしたデータと、フレームＦi+1における画像Ｘi+1のストリークＳ2に対応する領域Ｐ3を−Ｖ／２だけシフトしたデータとに基づいて、フレームＦiにおける画像ＸiのストリークＳ2に相当するデータを合成する。
【００４６】
そして、この合成されたデータを、フレームＦiにおける画像Ｘiに係るストリークＳ2の空間位置のデータと置き換え、画面３に表示する。
なお、これまで、改善方法の一つとして、動き内挿による場合を説明したが、この他の手法として、フレームＦi-1とフレームＦi+1とにおけるストリークＳ2の空間位置に対応する領域に基づいて、それらに含まれる動画像に関するデータの平均値を用いることもできる。
【００４７】
この様に、本実施形態による表示画面中のストリーク軽減方法及びその画像表示装置によれば、画像表示装置の走査周波数と、被写体の画面における走査周波数が異なることにより、画像表示装置の表示画面中における被写体の画像にストリークが発生しても、ストリークの幅を検出し、順次連続して繰り返されるフレーム毎に、記憶されている各フレームの直前又は直後の一方或いは双方のフレームにおける画像のデータから、当該画像に発生するストリークの空間位置に相当しかつ正常画像であるデータを切り出し、切り出された正常画像のデータを当該画像のストリークに係る空間位置のデータと置き換えるようにした。
【００４８】
そのため、発生するストリークに係る空間位置のデータは、フレーム毎に、直前のフレームにおける正常画像のデータと置き換えられ、画像表示装置の画面上では、被写体に係る画像内に発生するストリークを消去し、或いは軽減することができ、しかも自動化を図ることができる。
また、被写体に係る画像内に動画像が含まれていても、動画像の動ベクトルを抽出して動き内挿等を行うことにより、被写体に係る画像内のストリークを大幅に軽減することができる。
【００４９】
【発明の効果】
以上のように、本発明によれば、テレビカメラ等による撮影画像の走査速度と異なる走査速度による画像を表示した画面を被写体として撮影し、その撮影した画像をテレビ受像機等の画面に表示したとき、該画面中に発生するストリークを消去又は大幅に軽減することができる。
【図面の簡単な説明】
【図１】テレビカメラでＰＣモニターを撮影したとき、その撮影画像をテレビ受像機の画面に表示した様子を示す図である。
【図２】ＰＣモニターの走査周波数ｆTがテレビ受像機の走査周波数ｆTより大きい場合のストリーク発生状況を説明する図である。
【図３】ＰＣモニターの走査周波数ｆTがテレビ受像機の走査周波数ｆTより小さい場合のストリーク発生状況を説明する図である。
【図４】テレビ受像機の画面からＰＣモニターの表示画像を抽出し、該画像からストリークの検出を説明する図である。
【図５】ＰＣモニターの画面で静止画が表示されている場合において、ストリークを消去する手順を説明する図である。
【図６】ＰＣモニターの画面で動画が表示されている場合において、ストリークを軽減する手順を説明する図である。
【図７】図６の動画処理における動き内挿を説明する図である。
【符号の説明】
１…ＰＣモニター
２…テレビカメラ
３…テレビ受像機画面
４…被写体画像
【図１】
0004596299.tif 000002
【図２】
0004596299.tif 000003
【図３】
0004596299.tif 000004
【図４】
0004596299.tif 000005
【図５】
0004596299.tif 000006
【図６】
0004596299.tif 000007
【図７】
0004596299.tif 000008